(57)【要約】【課題】多種多様な画像によりチャット文を豊かに表現する。【解決手段】部品画像テーブル４２はチャット文に付加する部品画像と制御コードとの対応テーブルで、部品音声テーブル４３は、チャット文を音で表すための部品音声と制御コードとの対応テーブルである。チャット文を送信する携帯電話機１は、送信者の指定する複数の部品画像の各々と複数の部品音声の各々に対応する制御コードを対応テーブルから取得し、該制御コードをチャット文に付加し、該制御コードが付加されたチャット文をチャット相手に送る。チャット相手の携帯電話機１は、受信するチャット文から制御コードを検出し、制御コードに対応する部品画像と部品音声を対応テーブルから取得し、複数の部品画像とチャット文を表示部５０に表示し、複数の部品音声によりスピーカー７１からチャット文を音で発する。【選択図】      図１
2005100128.tif 000002
【特許請求の範囲】
【請求項１】
複数の、文字によりチャット（対話）するチャット機能付携帯電話機と、これらの複数のチャット機能付携帯電話機間を無線で接続する無線通信網を有して構成されるチャット携帯電話システムであって、
第１のチャット機能付携帯電話機は、
チャット文に、このチャット文を豊かに表現するための複数の部品画像の各々を指定する制御コードを付加して、チャット文章情報を作成し、このチャット文章情報をチャット相手の第２のチャット機能付携帯電話機宛に送信する手段を有し、
第２のチャット機能付携帯電話機は、
制御コードに対応して、複数の部品画像の各々を記憶する部品画像テーブルを備え、
第１のチャット機能付携帯電話機からチャット文章情報を受信し、受信されたチャット文章情報から制御コードを検出する手段と、
検出された制御コードに対応する部品画像を前記部品画像テーブルから取得する手段と、
検出された制御コードに対応して取得された部品画像の複数と、受信されたチャット文章情報に含まれるチャット文とを組み合わせて表示データを作成する手段と、
作成された表示データによりチャット文と画像を表示する手段を有することを特徴とするチャット携帯電話システム。
【請求項２】
複数の、文字によりチャット（対話）するチャット機能付携帯電話機と、これらの複数のチャット機能付携帯電話機間を無線で接続する無線通信網を有して構成されるチャット携帯電話システムであって、
第１のチャット機能付携帯電話機は、
チャット文に、このチャット文を豊かに表現するための複数の部品画像の各々を指定する制御コードと、このチャット文を音で表現するための複数の部品音声の各々を指定する制御コードとを付加してチャット文章情報を作成し、このチャット文章情報をチャット相手の第２のチャット機能付携帯電話機宛に送信する手段を有し、
第２のチャット機能付携帯電話機は、
制御コードに対応して、複数の部品画像の各々を記憶する部品画像テーブルと、制御コードに対応して、複数の部品音声の各々を記憶する部品音声テーブルを備え、
第１のチャット機能付携帯電話機からチャット文章情報を受信し、受信されたチャット文章情報から制御コードを検出する手段と、
検出された制御コードに対応する部品画像を前記部品画像テーブルから取得するとともに、検出された制御コードに対応する部品音声を前記部品音声テーブルから取得する手段と、
検出された制御コードに対応して取得された部品画像の複数と、受信されたチャット文章情報に含まれるチャット文とを組み合わせて表示データを作成する手段と、
作成された表示データによりチャット文と画像を表示する手段と、
検出された制御コードに対応して取得された部品音声の複数から音声データを作成する手段と、
この音声データから音声を再生する手段を有することを特徴とするチャット携帯電話システム。
【請求項３】
複数の、文字によりチャット（対話）するチャット機能付携帯電話機と、これらの複数のチャット機能付携帯電話機間を無線で接続する無線通信網を有して構成されるチャット携帯電話システムであって、
第１のチャット機能付携帯電話機は、
制御コードに対応して、チャット文を豊かに表現するための複数の部品画像の各々を記憶する部品画像テーブルと、制御コードに対応して、複数の部品音声の各々を記憶する部品音声テーブルとを備え、
利用者からのチャット文を入力する手段と、
利用者からの、部品画像を選択する画像選択情報を入力するとともに、利用者からの、部品音声を選択する音声選択情報を入力する手段と、
画像選択情報により指定された部品画像に対応する制御コードを前記部品画像テーブルから取得し、音声選択情報により指定された部品音声に対応する制御コードを前記部品音声テーブルから取得し、これらの制御コードを、入力されたチャット文に付加してチャット文章情報を作成し、このチャット文章情報をチャット相手の第２のチャット機能付携帯電話機宛に送信する手段を有し、
第２のチャット機能付携帯電話機は、
前記部品画像テーブルと前記部品音声テーブルを備え、
第１のチャット機能付携帯電話機からチャット文章情報を受信し、受信されたチャット文章情報から制御コードを検出する手段と、
検出された制御コードに対応する部品画像を前記部品画像テーブルから取得するとともに、検出された制御コードに対応する部品音声を前記部品音声テーブルから取得する手段と、
検出された制御コードに対応して取得された部品画像の複数と、受信されたチャット文章情報に含まれるチャット文とを組み合わせて表示データを作成する手段と、
作成された表示データによりチャット文と画像を表示する手段と、
検出された制御コードに対応して取得された部品音声の複数から音声データを作成する手段と、
この音声データから音声を再生する手段を有することを特徴とするチャット携帯電話システム。
【請求項４】
文字によりチャット（対話）するチャット機能付携帯電話機であって、
制御コードに対応して、複数の部品画像の各々を記憶する部品画像テーブルを備え、
チャット文に、このチャット文を豊かに表現するための複数の部品画像の各々を指定する制御コードを付加してチャット文章情報を作成し、このチャット文章情報をチャット相手に送信する手段と、
チャット相手からチャット文章情報を受信する手段と、
受信されたチャット文章情報から制御コードを検出する手段と、
検出された制御コードに対応する部品画像を前記部品画像テーブルから取得する手段と、
検出された制御コードに対応して取得された部品画像の複数と、受信されたチャット文章情報に含まれるチャット文とを組み合わせて表示データを作成する手段と、
作成された表示データによりチャット文と画像を表示する手段を有することを特徴とするチャット機能付携帯電話機。
【請求項５】
文字によりチャット（対話）するチャット機能付携帯電話機であって、
制御コードに対応して、複数の部品画像の各々を記憶する部品画像テーブルと、制御コードに対応して、複数の部品音声の各々を記憶する部品音声テーブルとを備え、
チャット文に、このチャット文を豊かに表現するための複数の部品画像の各々を指定する制御コードと、このチャット文を音で表現するための複数の部品音声の各々を指定する制御コードとを付加してチャット文章情報を作成し、このチャット文章情報をチャット相手に送信する手段と、
チャット相手からチャット文章情報を受信する手段と、
受信されたチャット文章情報から制御コードを検出する手段と、
検出された制御コードに対応する部品画像を前記部品画像テーブルから取得するとともに、検出された制御コードに対応する部品音声を前記部品音声テーブルから取得する手段と、
検出された制御コードに対応して取得された部品画像の複数と、受信されたチャット文章情報に含まれるチャット文とを組み合わせて表示データを作成する手段と、
作成された表示データによりチャット文と画像を表示する手段と、
検出された制御コードに対応して取得された部品音声の複数から音声データを作成する手段と、
この音声データから音声を再生する手段を有することを特徴とするチャット機能付携帯電話機。
【請求項６】
文字によりチャット（対話）するチャット機能付携帯電話機であって、
制御コードに対応して、複数の部品画像の各々を記憶する部品画像テーブルと、制御コードに対応して、複数の部品音声の各々を記憶する部品音声テーブルとを備え、
利用者からのチャット文を入力する手段と、
利用者からの、前記部品画像テーブルに記憶されている複数の部品画像のうちから部品画像を選択する画像選択情報を入力するとともに、利用者からの、前記部品音声テーブルに記憶されている複数の部品音声のうちから部品音声を選択する音声選択情報を入力する手段と、
画像選択情報により指定された部品画像に対応する制御コードを前記部品画像テーブルから取得し、音声選択情報により指定された部品音声に対応する制御コードを前記部品音声テーブルから取得し、これらの制御コードを、入力されたチャット文に付加してチャット文章情報を作成し、このチャット文章情報をチャット相手に送信する手段と、
チャット相手からチャット文章情報を受信する手段と、
受信されたチャット文章情報から制御コードを検出する手段と、
検出された制御コードに対応する部品画像を前記部品画像テーブルから取得するとともに、検出された制御コードに対応する部品音声を前記部品音声テーブルから取得する手段と、
検出された制御コードに対応して取得された部品画像の複数と、受信されたチャット文章情報に含まれるチャット文とを組み合わせて表示データを作成する手段と、
作成された表示データによりチャット文と画像を表示する手段と、
検出された制御コードに対応して取得された部品音声の複数から音声データを作成する手段と、
この音声データから音声を再生する手段を有することを特徴とするチャット機能付携帯電話機。
【請求項７】
複数の、文字によりチャット（対話）するチャット機能付携帯電話機が無線通信網を介してチャットするチャット方法であって、
第１のチャット機能付携帯電話機において、
チャット文に、このチャット文を豊かに表現するための複数の部品画像の各々を指定する制御コードを付加して、チャット文章情報を作成し、このチャット文章情報をチャット相手の第２のチャット機能付携帯電話機宛に送信するステップを有し、
第２のチャット機能付携帯電話機において、
制御コードに対応して、複数の部品画像の各々を記憶する部品画像テーブルを記憶保持するステップと、
第１のチャット機能付携帯電話機からチャット文章情報を受信し、受信されたチャット文章情報から制御コードを検出するステップと、
検出された制御コードに対応する部品画像を前記部品画像テーブルから取得するステップと、
検出された制御コードに対応して取得された部品画像の複数と、受信されたチャット文章情報に含まれるチャット文とを組み合わせて表示データを作成するステップと、
作成された表示データによりチャット文と画像を表示するステップを有することを特徴とするチャット方法。
【請求項８】
複数の、文字によりチャット（対話）するチャット機能付携帯電話機が無線通信網を介してチャットするチャット方法であって、
第１のチャット機能付携帯電話機において、
チャット文に、このチャット文を豊かに表現するための複数の部品画像の各々を指定する制御コードと、このチャット文を音で表現するための複数の部品音声の各々を指定する制御コードとを付加してチャット文章情報を作成し、このチャット文章情報をチャット相手の第２のチャット機能付携帯電話機宛に送信するステップを有し、
第２のチャット機能付携帯電話機において、
制御コードに対応して、複数の部品画像の各々を記憶する部品画像テーブルと、制御コードに対応して、複数の部品音声の各々を記憶する部品音声テーブルとを記憶保持するステップと、
第１のチャット機能付携帯電話機からチャット文章情報を受信し、受信されたチャット文章情報から制御コードを検出するステップと、
検出された制御コードに対応する部品画像を前記部品画像テーブルから取得するとともに、検出された制御コードに対応する部品音声を前記部品音声テーブルから取得するステップと、
検出された制御コードに対応して取得された部品画像の複数と、受信されたチャット文章情報に含まれるチャット文とを組み合わせて表示データを作成するステップと、
作成された表示データによりチャット文と画像を表示するステップと、
検出された制御コードに対応して取得された部品音声の複数から音声データを作成するステップと、
この音声データから音声を再生するステップを有することを特徴とするチャット方法。
【請求項９】
複数の、文字によりチャット（対話）するチャット機能付携帯電話機が無線通信網を介してチャットするチャット方法であって、
第１のチャット機能付携帯電話機において、
制御コードに対応して、チャット文を豊かに表現するための複数の部品画像の各々を記憶する部品画像テーブルと、制御コードに対応して、複数の部品音声の各々を記憶する部品音声テーブルとを記憶保持するステップと、
利用者からのチャット文を入力するステップと、
利用者からの、部品画像を選択する画像選択情報を入力するとともに、利用者からの、部品音声を選択する音声選択情報を入力するステップと、
画像選択情報により指定された部品画像に対応する制御コードを前記部品画像テーブルから取得し、音声選択情報により指定された部品音声に対応する制御コードを前記部品音声テーブルから取得し、これらの制御コードを、入力されたチャット文に付加してチャット文章情報を作成し、このチャット文章情報をチャット相手の第２のチャット機能付携帯電話機宛に送信するステップを有し、
第２のチャット機能付携帯電話機において、
前記部品画像テーブルと前記部品音声テーブルとを記憶保持するステップと、
第１のチャット機能付携帯電話機からチャット文章情報を受信し、受信されたチャット文章情報から制御コードを検出するステップと、
検出された制御コードに対応する部品画像を前記部品画像テーブルから取得するとともに、検出された制御コードに対応する部品音声を前記部品音声テーブルから取得するステップと、
検出された制御コードに対応して取得された部品画像の複数と、受信されたチャット文章情報に含まれるチャット文とを組み合わせて表示データを作成するステップと、
作成された表示データによりチャット文と画像を表示するステップと、
検出された制御コードに対応して取得された部品音声の複数から音声データを作成するステップと、
この音声データから音声を再生するステップを有することを特徴とするチャット方法。
【発明の詳細な説明】
【技術分野】
【０００１】
本発明は、文字により対話（チャット）する携帯電話機と、チャットシステムに関する。
【背景技術】
【０００２】
従来、文字により対話（チャット）するチャットシステムは、チャット内容にふさわしい背景画像をユーザ用コンピュータに表示できるよう構成されている。
【０００３】
このチャットシステムは、チャットシステム内で発現しうる状態に基づいて定められた条件と背景画像の関係を示したテーブルを有し、チャットシステム内で発現した状態に対応した条件がテーブルに記述されているときに、その条件に対応した背景画像をユーザ用コンピュータの対話文字列表示の背景に表示することができるよう構成されている（例えば、特許文献１）。
【０００４】
【特許文献１】特開平１１−１９１７６５号公報
【発明の開示】
【発明が解決しようとする課題】
【０００５】
しかし、特開平１１−１９１７６５号公報によるチャットシステムには、次のような問題点があった。
【０００６】
対話文字に対応した背景画像にはある程度のパターンがあり、多種多様な組み合わせによる背景画像を表示することができなく、多種多様な背景画像の表示という点で満足できるものではなかった。
【０００７】
本発明は、以上に鑑みなされたもので、送信者の指定による多種多様な画像によりチャット文を豊かに表示して表現するとともに音声でチャット文を表現する技術を提供するものである。
【課題を解決するための手段】
【０００８】
本発明のチャット携帯電話システムは、複数の、文字によりチャット（対話）するチャット機能付携帯電話機と、これらの複数のチャット機能付携帯電話機間を無線で接続する無線通信網を有して構成されるチャット携帯電話システムであって、第１のチャット機能付携帯電話機は、チャット文に、このチャット文を豊かに表現するための複数の部品画像の各々を指定する制御コードを付加して、チャット文章情報を作成し、このチャット文章情報をチャット相手の第２のチャット機能付携帯電話機宛に送信する手段を有し、第２のチャット機能付携帯電話機は、制御コードに対応して、複数の部品画像の各々を記憶する部品画像テーブルを備え、第１のチャット機能付携帯電話機からチャット文章情報を受信し、受信されたチャット文章情報から制御コードを検出する手段と、検出された制御コードに対応する部品画像を前記部品画像テーブルから取得する手段と、検出された制御コードに対応して取得された部品画像の複数と、受信されたチャット文章情報に含まれるチャット文とを組み合わせて表示データを作成する手段と、作成された表示データによりチャット文と画像を表示する手段を有することを特徴とする。
【０００９】
また、本発明のチャット携帯電話システムは、複数の、文字によりチャット（対話）するチャット機能付携帯電話機と、これらの複数のチャット機能付携帯電話機間を無線で接続する無線通信網を有して構成されるチャット携帯電話システムであって、第１のチャット機能付携帯電話機は、チャット文に、このチャット文を豊かに表現するための複数の部品画像の各々を指定する制御コードと、このチャット文を音で表現するための複数の部品音声の各々を指定する制御コードとを付加してチャット文章情報を作成し、このチャット文章情報をチャット相手の第２のチャット機能付携帯電話機宛に送信する手段を有し、第２のチャット機能付携帯電話機は、制御コードに対応して、複数の部品画像の各々を記憶する部品画像テーブルと、制御コードに対応して、複数の部品音声の各々を記憶する部品音声テーブルを備え、第１のチャット機能付携帯電話機からチャット文章情報を受信し、受信されたチャット文章情報から制御コードを検出する手段と、検出された制御コードに対応する部品画像を前記部品画像テーブルから取得するとともに、検出された制御コードに対応する部品音声を前記部品音声テーブルから取得する手段と、検出された制御コードに対応して取得された部品画像の複数と、受信されたチャット文章情報に含まれるチャット文とを組み合わせて表示データを作成する手段と、作成された表示データによりチャット文と画像を表示する手段と、検出された制御コードに対応して取得された部品音声の複数から音声データを作成する手段と、この音声データから音声を再生する手段を有することを特徴とする。
【００１０】
さらに、本発明のチャット携帯電話システムは、複数の、文字によりチャット（対話）するチャット機能付携帯電話機と、これらの複数のチャット機能付携帯電話機間を無線で接続する無線通信網を有して構成されるチャット携帯電話システムであって、第１のチャット機能付携帯電話機は、制御コードに対応して、チャット文を豊かに表現するための複数の部品画像の各々を記憶する部品画像テーブルと、制御コードに対応して、複数の部品音声の各々を記憶する部品音声テーブルとを備え、利用者からのチャット文を入力する手段と、利用者からの、部品画像を選択する画像選択情報を入力するとともに、利用者からの、部品音声を選択する音声選択情報を入力する手段と、画像選択情報により指定された部品画像に対応する制御コードを前記部品画像テーブルから取得し、音声選択情報により指定された部品音声に対応する制御コードを前記部品音声テーブルから取得し、これらの制御コードを、入力されたチャット文に付加してチャット文章情報を作成し、このチャット文章情報をチャット相手の第２のチャット機能付携帯電話機宛に送信する手段を有し、第２のチャット機能付携帯電話機は、前記部品画像テーブルと前記部品音声テーブルを備え、第１のチャット機能付携帯電話機からチャット文章情報を受信し、受信されたチャット文章情報から制御コードを検出する手段と、検出された制御コードに対応する部品画像を前記部品画像テーブルから取得するとともに、検出された制御コードに対応する部品音声を前記部品音声テーブルから取得する手段と、検出された制御コードに対応して取得された部品画像の複数と、受信されたチャット文章情報に含まれるチャット文とを組み合わせて表示データを作成する手段と、作成された表示データによりチャット文と画像を表示する手段と、検出された制御コードに対応して取得された部品音声の複数から音声データを作成する手段と、この音声データから音声を再生する手段を有することを特徴とする。
【００１１】
また、本発明のチャット機能付携帯電話機は、文字によりチャット（対話）するチャット機能付携帯電話機であって、制御コードに対応して、複数の部品画像の各々を記憶する部品画像テーブルを備え、チャット文に、このチャット文を豊かに表現するための複数の部品画像の各々を指定する制御コードを付加してチャット文章情報を作成し、このチャット文章情報をチャット相手に送信する手段と、チャット相手からチャット文章情報を受信する手段と、受信されたチャット文章情報から制御コードを検出する手段と、検出された制御コードに対応する部品画像を前記部品画像テーブルから取得する手段と、検出された制御コードに対応して取得された部品画像の複数と、受信されたチャット文章情報に含まれるチャット文とを組み合わせて表示データを作成する手段と、作成された表示データによりチャット文と画像を表示する手段を有することを特徴とする。
【００１２】
さらに、本発明のチャット機能付携帯電話機は、文字によりチャット（対話）するチャット機能付携帯電話機であって、制御コードに対応して、複数の部品画像の各々を記憶する部品画像テーブルと、制御コードに対応して、複数の部品音声の各々を記憶する部品音声テーブルとを備え、チャット文に、このチャット文を豊かに表現するための複数の部品画像の各々を指定する制御コードと、このチャット文を音で表現するための複数の部品音声の各々を指定する制御コードとを付加してチャット文章情報を作成し、このチャット文章情報をチャット相手に送信する手段と、チャット相手からチャット文章情報を受信する手段と、受信されたチャット文章情報から制御コードを検出する手段と、検出された制御コードに対応する部品画像を前記部品画像テーブルから取得するとともに、検出された制御コードに対応する部品音声を前記部品音声テーブルから取得する手段と、検出された制御コードに対応して取得された部品画像の複数と、受信されたチャット文章情報に含まれるチャット文とを組み合わせて表示データを作成する手段と、作成された表示データによりチャット文と画像を表示する手段と、検出された制御コードに対応して取得された部品音声の複数から音声データを作成する手段と、この音声データから音声を再生する手段を有することを特徴とする。
【００１３】
また、本発明のチャット機能付携帯電話機は、文字によりチャット（対話）するチャット機能付携帯電話機であって、制御コードに対応して、複数の部品画像の各々を記憶する部品画像テーブルと、制御コードに対応して、複数の部品音声の各々を記憶する部品音声テーブルとを備え、利用者からのチャット文を入力する手段と、利用者からの、前記部品画像テーブルに記憶されている複数の部品画像のうちから部品画像を選択する画像選択情報を入力するとともに、利用者からの、前記部品音声テーブルに記憶されている複数の部品音声のうちから部品音声を選択する音声選択情報を入力する手段と、画像選択情報により指定された部品画像に対応する制御コードを前記部品画像テーブルから取得し、音声選択情報により指定された部品音声に対応する制御コードを前記部品音声テーブルから取得し、これらの制御コードを、入力されたチャット文に付加してチャット文章情報を作成し、このチャット文章情報をチャット相手に送信する手段と、チャット相手からチャット文章情報を受信する手段と、受信されたチャット文章情報から制御コードを検出する手段と、検出された制御コードに対応する部品画像を前記部品画像テーブルから取得するとともに、検出された制御コードに対応する部品音声を前記部品音声テーブルから取得する手段と、検出された制御コードに対応して取得された部品画像の複数と、受信されたチャット文章情報に含まれるチャット文とを組み合わせて表示データを作成する手段と、作成された表示データによりチャット文と画像を表示する手段と、検出された制御コードに対応して取得された部品音声の複数から音声データを作成する手段と、この音声データから音声を再生する手段を有することを特徴とする。
【００１４】
さらに、本発明のチャット方法は、複数の、文字によりチャット（対話）するチャット機能付携帯電話機が無線通信網を介してチャットするチャット方法であって、第１のチャット機能付携帯電話機において、チャット文に、このチャット文を豊かに表現するための複数の部品画像の各々を指定する制御コードを付加して、チャット文章情報を作成し、このチャット文章情報をチャット相手の第２のチャット機能付携帯電話機宛に送信するステップを有し、第２のチャット機能付携帯電話機において、制御コードに対応して、複数の部品画像の各々を記憶する部品画像テーブルを記憶保持するステップと、第１のチャット機能付携帯電話機からチャット文章情報を受信し、受信されたチャット文章情報から制御コードを検出するステップと、検出された制御コードに対応する部品画像を前記部品画像テーブルから取得するステップと、検出された制御コードに対応して取得された部品画像の複数と、受信されたチャット文章情報に含まれるチャット文とを組み合わせて表示データを作成するステップと、作成された表示データによりチャット文と画像を表示するステップを有することを特徴とする。
【００１５】
また、本発明のチャット方法は、複数の、文字によりチャット（対話）するチャット機能付携帯電話機が無線通信網を介してチャットするチャット方法であって、第１のチャット機能付携帯電話機において、チャット文に、このチャット文を豊かに表現するための複数の部品画像の各々を指定する制御コードと、このチャット文を音で表現するための複数の部品音声の各々を指定する制御コードとを付加してチャット文章情報を作成し、このチャット文章情報をチャット相手の第２のチャット機能付携帯電話機宛に送信するステップを有し、第２のチャット機能付携帯電話機において、制御コードに対応して、複数の部品画像の各々を記憶する部品画像テーブルと、制御コードに対応して、複数の部品音声の各々を記憶する部品音声テーブルとを記憶保持するステップと、第１のチャット機能付携帯電話機からチャット文章情報を受信し、受信されたチャット文章情報から制御コードを検出するステップと、検出された制御コードに対応する部品画像を前記部品画像テーブルから取得するとともに、検出された制御コードに対応する部品音声を前記部品音声テーブルから取得するステップと、検出された制御コードに対応して取得された部品画像の複数と、受信されたチャット文章情報に含まれるチャット文とを組み合わせて表示データを作成するステップと、作成された表示データによりチャット文と画像を表示するステップと、検出された制御コードに対応して取得された部品音声の複数から音声データを作成するステップと、この音声データから音声を再生するステップを有することを特徴とする。
【００１６】
さらに、本発明のチャット方法は、複数の、文字によりチャット（対話）するチャット機能付携帯電話機が無線通信網を介してチャットするチャット方法であって、第１のチャット機能付携帯電話機において、制御コードに対応して、チャット文を豊かに表現するための複数の部品画像の各々を記憶する部品画像テーブルと、制御コードに対応して、複数の部品音声の各々を記憶する部品音声テーブルとを記憶保持するステップと、利用者からのチャット文を入力するステップと、利用者からの、部品画像を選択する画像選択情報を入力するとともに、利用者からの、部品音声を選択する音声選択情報を入力するステップと、画像選択情報により指定された部品画像に対応する制御コードを前記部品画像テーブルから取得し、音声選択情報により指定された部品音声に対応する制御コードを前記部品音声テーブルから取得し、これらの制御コードを、入力されたチャット文に付加してチャット文章情報を作成し、このチャット文章情報をチャット相手の第２のチャット機能付携帯電話機宛に送信するステップを有し、第２のチャット機能付携帯電話機において、前記部品画像テーブルと前記部品音声テーブルとを記憶保持するステップと、第１のチャット機能付携帯電話機からチャット文章情報を受信し、受信されたチャット文章情報から制御コードを検出するステップと、検出された制御コードに対応する部品画像を前記部品画像テーブルから取得するとともに、検出された制御コードに対応する部品音声を前記部品音声テーブルから取得するステップと、検出された制御コードに対応して取得された部品画像の複数と、受信されたチャット文章情報に含まれるチャット文とを組み合わせて表示データを作成するステップと、作成された表示データによりチャット文と画像を表示するステップと、検出された制御コードに対応して取得された部品音声の複数から音声データを作成するステップと、この音声データから音声を再生するステップを有することを特徴とする。
【発明の効果】
【００１７】
本発明は、チャット文を送信する携帯電話機が、送信者の自由に指定する画像と音声に対応する制御コードをチャット文に付加し、制御コードが付加されたチャット文をチャット相手の携帯電話機に送信し、チャット相手の携帯電話機は、受信するチャット文から制御コードを検出し、この制御コードに対応する画像とチャット文を表示するとともに、制御コードに対応する音声を再生するよう構成されているので、送信者指定の多種多様な画像と音声によりチャット文を豊か内容で表示できるとともに、チャット文を音声で表現することができる。
【発明を実施するための最良の形態】
【００１８】
本発明の実施の形態について図面を参照して詳細に説明する。
【００１９】
図１は、本発明の実施形態によるチャット機能付携帯電話機の構成ブロック図で、図２は、本発明のチャット機能付携帯電話機によるチャットシステムの図で、図３は、部品画像テーブルと部品音声テーブルの構成図である。
【００２０】
このチャットシステムは、図２で示されるように、複数のチャット機能付携帯電話機１Ａ、１Ｂを無線通信網で接続し、複数のチャット機能付携帯電話機１Ａ、１Ｂが、互いに、文字により対話（以降、チャット）するよう構成されている。
【００２１】
図１を参照して、本発明のチャット機能付携帯電話機１は、チャット文章情報を無線で送信する送信部１１と、チャット文章情報を無線で受信する受信部１２とを備える無線制御部１０と、チャット文章情報解析部２０と、チャット文章情報生成部３０と、記憶部４０と、利用者がデータを入力するキーボードを有する操作部５０と、表示部６０と、音声生成部７０と、スピーカー７１と、チャット機能付携帯電話機１全体を制御する制御部１００を有して構成される。
【００２２】
記憶部４０は、制御部１００がチャット機能を実行するときに使用するチャット制御プログラム４１と部品画像テーブル４２と部品音声テーブル４３を記憶する。
【００２３】
部品画像テーブル４２は、図３（ａ）に示されるように、制御コードに対応して、複数の部品画像の各々を記憶するテーブルである。制御コードは、複数の部品画像の内の１つを指定するためのコードである。部品画像は、チャット文章の内容を豊かにするために、チャット文章に付加されて表示される一つの意味ある画像でもよいし、一つの画像を形成するための部品の画像でも良い。
【００２４】
部品音声テーブル４３は、図３（ｂ）に示されるように、制御コードに対応して、複数の部品音声の各々を記憶するテーブルである。制御コードは、複数の部品音声の内の１つを指定するためのコードである。部品音声は、チャット文章を音声で表す音声データと、文章の断片を音声で表す音声データと、音楽の音声データとを少なくとも含み、チャット文章を音で表現するための音声の部品である。すなわち、部品音声は、複数の部品音声を組み合わせて１つの文章を音で表わすための音声の部品である。
【００２５】
表示部６０は、複数の部品画像と部品音声とを選択メニューとして表示するとともに、利用者により操作部５０から入力されるチャット文章と受信部１２により受信されるチャット文章とそのチャット文章に付加されている部品画像とを表示する機能を有する。
【００２６】
操作部５０は、利用者からのキーの操作によるチャット文章を入力する機能と、そのチャット文章に対応する部品画像と部品音声を選択するため利用者からのキー操作による選択情報を入力する機能とを有する。
【００２７】
チャット文章情報生成部３０は、操作部５０から入力されるチャット文章に、操作部５０から入力される選択情報に基づいて選択された部品画像と部品音声に対応する制御コードを付加して、チャット文章情報を生成し、このチャット文章情報を送信部１１に送る。
【００２８】
チャット文章情報解析部２０は、制御部１００と協働で、受信部１２により受信されるチャット文章情報から、制御コードを検出し、検出された制御コードに対応する部品画像を部品画像テーブル４２から検索し、また、検出された制御コードに対応する部品音声を部品音声テーブル４３から検索し、検索された部品画像とチャット文章情報に含まれるチャット文章を表示部６０に送るとともに、検索された部品音声の音声データを音声生成部７０に送るよう制御する。
【００２９】
音声生成部７０は、検索された部品音声の複数を合成して音声データを生成しこの音声データから音声信号を生成するものである。
【００３０】
スピーカー７１は、音声生成部７０による音声信号で音を発するものである。
【００３１】
次に、本発明の実施形態の動作について図面を参照して詳細に説明する。
【００３２】
図４は、チャット動作のフローチャートを示す図で、図５は、表示画面を説明するための図である。
【００３３】
図４と図５を主体に、図１、２、３を併せ参照して動作を説明する。
【００３４】
携帯電話機１Ａの利用者Ａが、操作部５０の予め定められたキーを押下して、チャットの開始要求を操作部５０から入力する（ステップＳ１０）。操作部５０は、入力されたチャットの開始要求を制御部１００に送る。
【００３５】
制御部１００は、チャット制御プログラム４２に基づくチャット機能を立ち上げる。次に、チャット制御プログラム４１に従って、制御部１００は、記憶部４０に記憶されている部品画像テーブル４２から複数の部品画像を読み出し、そして、部品音声テーブル４３から複数の部品音声の表題を読み出し、この複数の部品画像と、複数の部品音声の表題を表示部６０に送り、複数の部品画像と複数の部品音声の表題を選択メニューとして表示するよう表示部６０を制御する。
【００３６】
表示部６０は、図５に示されるように、表示画面の一部、例えば、上半分画面に複数の部品画像と複数の部品音声の表題を選択メニューとして表示する。
【００３７】
以上で、携帯電話機１Ａは、チャットが可能なように準備される。このとき、携帯電話機１Ｂも、同様に、利用者Ｂによりチャットが可能なように準備される。
【００３８】
次に、利用者Ａが、「昨日のデートは、楽しかったです。」という文章を操作部５０のキーから文字で入力し、さらに、引き続いて、表示部６０に表示されている選択メニューから、この文章を豊かに表現するための部品画像を必要な数だけ、操作部５０のキーにより、選択する（ステップＳ２０）。また、利用者Ａは、表示部６０に表示されている選択メニューから、この文章を音声で表現するための部品音声、すなわち音声データ、を必要な数だけ、操作部５０のキーにより、選択する（ステップＳ２０）。
【００３９】
操作部５０は、入力された文章「昨日のデートは、楽しかったです。」と、どの部品画像とどの部品音声が選択されたかを示す選択情報を、制御部１００とチャット文章情報生成部３０に送る。
【００４０】
制御部１００は、操作部５０から入力された文章「昨日のデートは、楽しかったです。」を表示部６０に送り、表示部６０は、図５に示されるように、表示画面の下半分画面に文章「昨日のデートは、楽しかったです。」を表示する。
【００４１】
チャット文章情報生成部３０は、操作部５０から、入力された文章「昨日のデートは、楽しかったです。」と選択情報を受け、部品画像テーブル４２から、選択された部品画像に対応する制御コードを読み出して取得するとともに、部品音声テーブル４３から、選択された部品音声に対応する制御コードを読み出して取得し（ステップＳ３０）、文章「昨日のデートは、楽しかったです。」に、該制御コードを付加して、チャット文章情報を生成し（ステップＳ４０）、このチャット文章情報をパケットに変換し、このパケットを無線制御部１０の送信部１１に送る。
【００４２】
送信部１１は、チャット文章情報を含むパケットを無線で、チャット相手の携帯電話機１Ｂ宛に送信する（ステップＳ５０）。
【００４３】
携帯電話機１Ｂもまた、携帯電話機１Ａと同様に、チャットが可能なように準備されている。
【００４４】
携帯電話機１Ｂの無線制御部１０の受信部１２は、携帯電話機１Ａから、チャット文章情報を含むパケットを受信し（ステップＳ６０）、受信されたチャット文章情報をチャット文章情報解析部２０に送る。
【００４５】
チャット文章情報解析部２０は、受信部１２により受信されたチャット文章情報から、制御コードを検出し（ステップＳ７０）、検出された制御コードに対応する部品画像を部品画像テーブル４２から取得し、検出された制御コードに対応する部品音声の音声データを部品音声テーブル４３から取得し（ステップＳ８０）、取得された部品画像の複数とチャット文章情報に含まれる文章「昨日のデートは、楽しかったです。」とを組み合わせて表示データを作成し（ステップＳ９０）、この表示データを表示部６０に送る。また、チャット文章情報解析部２０は、取得された部品音声の複数を音声生成部７０に送る。
【００４６】
表示部６０は、チャット文章情報解析部２０から表示データを受け、図５に示されるように、利用者Ａの文章「昨日のデートは、楽しかったです。」と部品画像を表示する（ステップＳ１１０）。
【００４７】
音声生成部７０は、チャット文章情報解析部２０からの部品音声の複数から音声データを作成し、この音声データから音声信号を合成し（ステップＳ１００）、この音声信号でスピーカー７１から音声を再生する（ステップＳ１２０）。
【００４８】
次に、利用者Ｂが、チャット相手の利用者Ａへの返答として、携帯電話機１Ｂから、「私も、楽しかったです。」という文章を操作部５０のキーから文字で入力し、さらに、引き続いて、表示部６０に表示されている選択メニューから、部品画像と部品音声を必要な数だけ、操作部５０のキーにより、選択する。
【００４９】
操作部５０は、入力された文章「私も、楽しかったです。」と、どの部品画像とどの部品音声が選択されたかを示す選択情報を、制御部１００とチャット文章情報生成部３０に送る。
【００５０】
制御部１００は、操作部５０から入力された文章「私も、楽しかったです。」を表示部６０に送り、表示部６０は、図５に示されるように、表示画面の下半分画面に文章「私も、楽しかったです。」を表示する。
【００５１】
チャット文章情報生成部３０は、操作部５０から、入力された文章「私も、楽しかったです。」と選択情報を受け、記憶部４０に記憶されている部品画像テーブル４２から、選択された部品画像に対応する制御コードを読み出して取得するとともに、部品音声テーブル４３から、選択された部品音声に対応する制御コードを読み出して取得し、文章「私も、楽しかったです。」に、該制御コードを付加して、チャット文章情報を生成し、このチャット文章情報をパケットに変換しこのパケットを無線制御部１０の送信部１１に送る。
【００５２】
送信部１１は、チャット文章情報を含むパケットを無線で、携帯電話機１Ａ宛に送信する。
【００５３】
携帯電話機１Ａの無線制御部１０の受信部１２は、携帯電話機１Ｂから、チャット文章情報を含むパケットを受信し、受信されたチャット文章情報をチャット文章情報解析部２０に送る。
【００５４】
チャット文章情報解析部２０は、受信部１２により受信されたチャット文章情報から、制御コードを検出し、検出された制御コードに対応する部品画像を部品画像テーブル４２から取得し、検出された制御コードに対応する部品音声の音声データを部品音声テーブル４３から取得し、取得された部品画像とチャット文章情報に含まれる文章「私も、楽しかったです。」とから表示データを作成し、この表示データを表示部６０に送る。また、チャット文章情報解析部２０は、取得された部品音声の音声データを音声生成部７０に送る。
【００５５】
表示部６０は、チャット文章情報解析部２０から表示データを受け、図５に示されるように、利用者Ｂからの文章「私も、楽しかったです。」と部品画像を表示する。
【００５６】
音声生成部７０は、チャット文章情報解析部２０からの、部品音声の音声データから音声信号を合成し（ステップＳ１００）、この音声信号でスピーカー７１から音声を再生する（ステップＳ１２０）。
【００５７】
以上述べたように、本発明は、チャット文を送信する携帯電話機が、送信者の自由に指定する画像と音声に対応する制御コードをチャット文に付加し、制御コードが付加されたチャット文をチャット相手の携帯電話機に送信し、チャット相手の携帯電話機は、受信するチャット文から制御コードを検出し、この制御コードに対応する画像とチャット文を表示するとともに、制御コードに対応する音声を再生するよう構成されているので、送信者指定の多種多様な画像と音声によりチャット文を豊か内容で表示できるとともに、チャット文を音声で表現することができる。
【図面の簡単な説明】
【００５８】
【図１】本発明の実施形態によるチャット機能付携帯電話機の構成ブロック図である。
【図２】本発明のチャット機能付携帯電話機によるチャットシステムの図である。
【図３】部品画像テーブルと部品音声テーブルの構成図である。
【図４】チャット動作のフローチャートを示す図である。
【図５】表示画面を説明するための図である。
【符号の説明】
【００５９】
１    チャット機能付携帯電話機
１０    無線制御部
１１    送信部
１２    受信部
２０    チャット文章情報解析部
３０    チャット文章情報生成部
４０    記憶部
４１    チャット制御プログラム
４２    部品画像テーブル
５０    操作部
６０    表示部
７０    音声生成部
７１    スピーカー
１００    制御部
【図１】
2005100128.tif 000003
【図２】
2005100128.tif 000004
【図３】
2005100128.tif 000005
【図４】
2005100128.tif 000006
【図５】
2005100128.tif 000007